(57)【要約】      （修正有）【課題】簡単かつ低コストで製造することができる、簡易な表示物保持具を提供する。【解決手段】表示物保持具１Ｆは、薄型の表示物を保持するものであって、表示物をスリット３に差し込んで保持する保持具本体２を備えており、この保持具本体２は、正面ブロック４と背面ブロック５とを接合することによって、正面ブロック４と背面ブロック５の間に差込口の手前側から奥側に向かって次第に隙間Ｇが狭くなるスリット３が形成されている。【選択図】図９
0003170956.tif 000002
【実用新案登録請求の範囲】
【請求項１】
薄型の表示物を保持するための表示物保持具であって、
上記表示物をスリットに差し込んで保持する保持具本体を備え、
上記保持具本体は、正面ブロックと背面ブロックを接合することによって、両ブロック間に差込口の手前側から奥側に向かって次第に隙間が狭くなるスリットが形成されている
ことを特徴とする表示物保持具。
【請求項２】
請求項１に記載の表示物保持具において、
上記保持具本体は、上記正面ブロックと上記背面ブロックとの間に、上記スリットの隙間に相当する厚さのスペーサを接合してなる
ことを特徴とする表示物保持具。
【請求項３】
請求項１に記載の表示物保持具において、
上記保持具本体は、上記正面ブロックと上記背面ブロックを上記スリットの隙間分だけ離間させ、両ブロックの底面同士を連結する底面ブロックを接合してなる
ことを特徴とする表示物保持具。
【請求項４】
請求項１から３のいずれか１項に記載の表示物保持具において、
上記スリットが、保持具本体の側面から見て所定角度傾斜するように設けられている
ことを特徴とする表示物保持具。
【請求項５】
請求項１から３のいずれか１項に記載の表示物保持具において、
上記スリットが、保持具本体の上面から見て湾曲するように設けられている
ことを特徴とする表示物保持具。
【請求項６】
請求項１から５のいずれか１項に記載の表示物保持具において、
上記保持具本体の背面、側面、あるいは底面にマグネットが埋設されている
ことを特徴とする表示物保持具。
【請求項７】
請求項６に記載の表示物保持具において、
上記マグネットが埋設されたブロックが不透明である
ことを特徴とする表示物保持具。
【考案の詳細な説明】
【技術分野】
【０００１】
本考案は、例えばデパートやコンビニエンスストア等の店舗の商品売場において、商品の案内カードやプライスカード等の表示物を保持して展示するための表示物保持具に関する。
【背景技術】
【０００２】
従来、上記のような商品に関する情報を表示するディスプレイ用品として、いわゆるＰＯＰスタンドやバインダーＰＯＰなどと呼ばれる保持具が広く知られている。この種の保持具の一例として、例えば下記の特許文献１には、本出願人が先に考案した表示物ホルダが開示されている。
【０００３】
この表示物ホルダは、上面が開口した箱型のケース本体と、ケース本体の内部に収容された断面略Ｍ字型の板ばねと、ケース本体の底面に嵌め込み固定されたマグネットとから構成されたバインダー式の保持具である。そしてこれを使用する際には、商品のＰＯＰ表示板を板ばねの間に差し込み、ＰＯＰ表示板を板ばねで挟み付けて保持し、ケース本体底面のマグネットを金属製の陳列棚等に磁気吸着させて設置するようになっている。
【先行技術文献】
【特許文献】
【０００４】
【特許文献１】実用新案登録第３１６０２３７号公報
【考案の概要】
【考案が解決しようとする課題】
【０００５】
ところで、上述した従来の表示物ホルダは、部品を収容するケース本体が複雑な形状をしているため、そのケース本体を成形する際に、特殊形状の高価な金型が必要になる。また、内部に収容する板ばねについても、ステンレスばね材を略Ｍ字型に折り曲げ、先端同士が隙間なく密着するように精度良く加工しなければならない。このように、従来の表示物ホルダは、部品の成形費用が嵩み、また高度な加工精度も要求されるため、製品の製造コストが高くなってしまうという事情があった。
【０００６】
本考案はこのような事情に鑑みてなされたものであり、その目的とするところは、簡単かつ低コストで製造することができる、簡易な表示物保持具を提供することにある。
【課題を解決するための手段】
【０００７】
上記の目的を達成するため、本考案は、薄型の表示物を保持するための表示物保持具であって、上記表示物をスリットに差し込んで保持する保持具本体を備え、上記保持具本体は、正面ブロックと背面ブロックを接合することによって、両ブロック間に差込口の手前側から奥側に向かって次第に隙間が狭くなるスリットが形成されていることを特徴とするものである。
【０００８】
ここで、本考案の対象となる「薄型の表示物」とは、紙、合成紙、合成樹脂等からなるカードや、合成樹脂フィルムや合成樹脂シート等、厚さが薄いものであれば材質や大きさは特に限定されない。また、本考案において「接合する」とは、部品同士を接ぎ合わせて固定することを意味し、その手段としては、接着剤や接着テープ等によって貼り合わせることのほか、留め具等を用いて繋ぎ合わせることも含む。
【０００９】
また、本考案の表示物保持具において、上記保持具本体は、上記正面ブロックと上記背面ブロックとの間に、上記スリットの隙間に相当する厚さのスペーサを接合してなる構造や、上記正面ブロックと上記背面ブロックを上記スリットの隙間分だけ離間させ、両ブロックの底面同士を連結する底面ブロックを接合してなる構造を採用することができる。
【００１０】
また、本考案の表示物保持具において、上記スリットが、保持具本体の側面から見て所定角度傾斜するように設けられている形状や、保持具本体の上面から見て湾曲するように設けられている形状を採用することもできる。
【００１１】
さらに、本考案の表示物保持具において、上記保持具本体の背面、側面、あるいは底面にマグネットが埋設されていても良い。この場合、上記マグネットが埋設されたブロックが不透明であると、マグネットが外部から見えなくなり、保持具の外観の見栄えが良くなる。
【考案の効果】
【００１２】
本考案の表示物保持具は、正面ブロックと背面ブロックを接合することにより、両ブロック間にスリットを有する保持具本体を成形した簡易な成形品である。このため、保持具本体を成形する際に、特殊形状の高価な金型が不要になり、極めて簡単かつ低コストで製造することができる。また、スリットを形成するのに精度良く溝を切削加工する必要もなく、スリットのサイズを正確に設定することができ、しかもそのサイズ変更も簡単に行うことができる。さらに、スリットは差込口の手前側から奥側に向かって次第に隙間が狭くなっているため、表示物をスリットに差し込みやすく、奥まで差し込めば、くさび効果によって表示物の縁部が締め付けられるので、表示物を安定して保持することができる。
【図面の簡単な説明】
【００１３】
【図１】本考案に係る表示物保持具の第１実施形態を示すものであり、（ａ）は正面図、（ｂ）は上面図、（ｃ）は同図（ａ）中のＣ−Ｃ断面図である。
【図２】図１の表示物保持具の使用状態を示す斜視図である。
【図３】本考案に係る表示物保持具の第２実施形態を示すものであり、（ａ）は正面図、（ｂ）は上面図、（ｃ）は同図（ａ）中のＣ−Ｃ断面図、（ｄ）は同図（ａ）中のＤ−Ｄ断面図である。
【図４】本考案に係る表示物保持具の第３実施形態を示すものであり、（ａ）は正面図、（ｂ）は上面図、（ｃ）は同図（ａ）中のＣ−Ｃ断面図である。
【図５】本考案に係る表示物保持具の第４実施形態を示す断面図である。
【図６】図５の表示物保持具の使用状態を示す斜視図である。
【図７】本考案に係る表示物保持具の第５実施形態を示す平面図である。
【図８】図７の表示物保持具の使用状態を示す斜視図である。
【図９】本考案に係る表示物保持具の第６実施形態を示すものであり、（ａ）は正面図、（ｂ）は上面図、（ｃ）は同図（ａ）中のＣ−Ｃ断面図である。
【図１０】図９の表示物保持具の使用状態を示す斜視図である。
【図１１】本考案に係る表示物保持具のその他の実施形態を示す側面図である。
【考案を実施するための形態】
【００１４】
以下、本考案の実施の形態について、願書に添付した図面を参照しながら説明する。本考案に係る表示物保持具は、例えばデパートやコンビニエンスストア等の店舗の商品売場において、商品の案内カードやプライスカードといった薄型の表示物を保持して展示するための用具であり、用途に応じて以下の様々な形態を採用することができる。
【００１５】
［第１実施形態］
図１に示すように、本実施形態の表示物保持具１（１Ａ）は、表示物を保持する保持具本体２を備えてなり、保持具本体２に設けられたスリット３に表示物を差し込んで挟持するものである。保持具本体２は、正面ブロック４と、背面ブロック５と、スペーサ６とから構成されている。
【００１６】
保持具本体２は、店舗や商品のイメージに合わせて、例えば合成樹脂、ガラス、金属、木材等の各種材料の中から選択して使用することができる。本実施形態において、正面ブロック４と背面ブロック５はそれぞれ無色透明のアクリル樹脂で構成され、表面に平滑仕上げが施されている。両ブロック４，５は断面台形の角柱型に成形され、長さが約３０ｍｍ、高さが約１０ｍｍ、厚さが約３〜５ｍｍ程度の同一サイズに設計されている。
【００１７】
また、保持具本体２は、正面ブロック４と背面ブロック５を接合することにより、両ブロック４，５間にスリット３を形成したものである。本実施形態では、図１（ｃ）のように、正面ブロック４と背面ブロック５との間にスリット３の隙間Ｇに相当する厚さのスペーサ６を介在させ、スペーサ６の表面に接着剤で正面ブロック４を貼り合わせ、スペーサ６の裏面に接着剤で背面ブロック５を貼り合わせてある。スペーサ６は、本実施形態では塩化ビニル板により構成され、正面ブロック４と背面ブロック５と同じ長さで、高さが約５ｍｍ、厚さが約０．３ｍｍ程度の薄板状に成形されている。したがって、正面ブロック４と背面ブロック５との間には、長さを約３０ｍｍ、深さを約５ｍｍ、隙間Ｇを約０．３ｍｍに設定したスリット３が形成されることになる。
【００１８】
さらに、図１（ｃ）のように、保持具本体２の底面には、固定手段として両面接着テープ７が設けられている。この両面接着テープ７は、支持体７ａの表面に塗布された粘着剤７ｂによって保持具本体２に接着したものである。また、支持体７ａの裏面に塗布された粘着剤７ｃは、使用時まで剥離紙７ｄによって保護されている。
【００１９】
図２に示すように、本実施形態の表示物保持具１Ａは、商品の陳列台や陳列棚の上にディスプレイされた商品の近傍に設置され、その商品の案内カードやプライスカード等を表示する際に使用される。
【００２０】
使用時にはまず表示したいカード１０を表示物保持具１Ａのスリット３に差し込み、保持具本体２でカード１０を保持する。カード１０のサイズが大きい場合には、カード１０の幅に合わせて保持具本体２の幅を長くしたものを使用するか、図示したように複数個の表示物保持具１Ａ，１Ａ，…を横に並べてセットすれば良い。
【００２１】
次に、保持具本体２の底面にある両面接着テープ７を用いて、表示物保持具１Ａを固定する。すなわち、図１（ｃ）に示す剥離紙７ｄを剥がし取った後、露出した粘着剤７ｃで陳列台や陳列棚の上に接着すれば、カード１０を保持した表示物保持具１Ａを安定して設置することができる。
【００２２】
また、本実施形態では、保持具本体２を構成する正面ブロック４と背面ブロック５が共に無色透明のアクリル樹脂で構成されており、スリット３に差し込んだカード１０を透かして見ることができるため、カード１０の全体に印刷を施すことができる。また、保持具本体２が店内の光に照らされて輝き、透明感や高級感を与えることができるため、宝石や貴金属等の高価な商品のプライス表示として好適である。
【００２３】
［第２実施形態］
図３に示すように、本実施形態の表示物保持具１（１Ｂ）は、第１実施形態の両面接着テープ７に代えて、保持具本体２の底面に磁気吸着による固定手段を設けたものである。
【００２４】
すなわち、この表示物保持具１Ｂの保持具本体２には、幅方向の両側２箇所にマグネット８，８が埋設されている。本実施形態では、マグネット８として丸棒型（φ４×５ｍｍ）のネオジウム磁石を使用しており、この形状のマグネット８を嵌め込むために、正面ブロック４と背面ブロック５の接合面にそれぞれ断面半円型の凹部４ａ，５ａが形成されている。
【００２５】
そして、マグネット８の外周面は、接着剤を介して凹部４ａ，５ａに嵌め込み固着されている。また、スペーサ６の表面に接着剤で正面ブロック４が貼り合わされ、スペーサ６の裏面に接着剤で背面ブロック５が貼り合わされている。したがって、マグネット８は、外力が作用しても凹部４ａ，５ａから抜け落ちることはない。なお、マグネット８の底面は正面ブロック４と背面ブロック５から露出しており、保持具本体２の底面と面一になっている。
【００２６】
このように、本実施形態の表示物保持具１Ｂによれば、保持具本体２の底面にマグネット８が埋設されているため、このマグネット８を金属製の陳列棚等に磁気吸着させることにより、安定した姿勢で設置することができる。
【００２７】
［第３実施形態］
図４に示すように、本実施形態の表示物保持具１（１Ｃ）は、正面ブロック４と背面ブロック５の間にスペーサ６を接合する構造に代えて、底面ブロック９を接合する構造を採用したものである。
【００２８】
すなわち、この表示物保持具１Ｃの保持具本体２は、正面ブロック４と背面ブロック５をスリット３の隙間Ｇの分だけ離間させ、両ブロック４，５の底面に両者を連結する底面ブロック９が接合されている。本実施形態では、正面ブロック４と背面ブロック５の間に約０．２ｍｍの隙間Ｇを設定し、両ブロック４，５の高さを約５ｍｍと短くし、幅が約３０ｍｍ、高さが約５ｍｍ、厚さが約１０．２ｍｍの直方体型に成形された底面ブロック９を、接着剤で正面ブロック４と背面ブロック５の底面に接着してある。したがって、正面ブロック４と背面ブロック５との間には、長さを約３０ｍｍ、深さを約５ｍｍ、隙間Ｇを約０．２ｍｍに設定したスリット３が形成されることになる。
【００２９】
また、保持具本体２の底面には、磁気吸着による固定手段が設けられている。本実施形態では、マグネット８として丸棒型（φ５×５ｍｍ）のネオジウム磁石を使用しており、この形状のマグネット８を埋設するために、底面ブロック９の底面に同型の嵌合孔９ａが形成されている。そして、外周面に接着剤を塗布したマグネット８が嵌合孔９ａに嵌め込み固着され、マグネット８の底面が底面ブロック９から露出し、保持具本体２の底面と面一になっている。
【００３０】
このように、本実施形態の表示物保持具１Ｃにおいても、保持具本体２の底面にマグネット８が埋設されているため、このマグネット８を金属製の陳列棚等に磁気吸着させることにより、安定した姿勢で設置することができる。また、本実施形態では、正面ブロック４と背面ブロック５をスリット３の隙間分だけ離間させ、両ブロック４，５に底面ブロック９を接合するようにしたので、スリット３の隙間Ｇを自由に設定することができる。さらに、底面ブロック９にマグネット８を埋設するようにしたので、第２実施形態のように正面ブロック４と背面ブロック５を接合する際にマグネット８を嵌め込む凹部４ａ，５ａの位置合わせが不要となり、簡単な組立作業で製造することができる。
【００３１】
［第４実施形態］
図５に示すように、本実施形態の表示物保持具１（１Ｄ）は、正面ブロック４と背面ブロック５を底面ブロック９で連結する構造を採用することにより、スリット３の形状をカスタマイズしたものである。
【００３２】
すなわち、この表示物保持具１Ｄの保持具本体２は、正面ブロック４と背面ブロック５の対向面を斜めに成形し、両ブロック４，５の間に約０．２ｍｍの隙間Ｇを設定し、両ブロック４，５の底面に両者を連結する底面ブロック９を接合してある。したがって、保持具本体２の側面から見ると、正面ブロック４と背面ブロック５との間には、隙間Ｇを約０．２ｍｍに設定したスリット３が、保持具本体２の設置面（水平面）に対して所定角度傾斜した状態で形成されることになる。
【００３３】
図６に示すように、本実施形態の表示物保持具１Ｄによれば、表示したいカード１０をスリット３に差し込むと、スリット３の形状に沿ってカード１０を後方に傾けた姿勢で保持することができる。このため、この表示物保持具１Ｄを商品陳列棚等に設置すれば、カード１０を垂直に立てて保持した場合に比べて、カード１０に印刷された情報をより見やすい角度で設置することができる。なお、スリット３の傾斜角度については、正面ブロック４と背面ブロック５の対向面を任意の角度に成形することによって、簡単に変更することが可能である。
【００３４】
［第５実施形態］
図７に示すように、本実施形態の表示物保持具１（１Ｅ）は、正面ブロック４と背面ブロック５を底面ブロック９で連結する構造を採用することにより、スリット３を別の形状にカスタマイズしたものである。
【００３５】
すなわち、この表示物保持具１Ｅの保持具本体２は、正面ブロック４と背面ブロック５の対向面を湾曲させて成形し、両ブロック４，５の間に約０．２ｍｍの隙間Ｇを設定し、両ブロック４，５の底面に両者を連結する底面ブロック９を接合してある。したがって、保持具本体２の上面から見ると、正面ブロック４と背面ブロック５との間には、隙間Ｇを約０．２ｍｍに設定したスリット３が、保持具本体２の正面に対して弓形に湾曲した状態で形成されることになる。
【００３６】
図８に示すように、本実施形態の表示物保持具１Ｅによれば、表示したいカード１０をスリット３に差し込むと、スリット３の形状に沿ってカード１０を湾曲させた姿勢で保持することができる。このため、この表示物保持具１Ｅを商品陳列棚等に設置すれば、カード１０を垂直に立てて保持した場合に比べて、カード１０に印刷された商品案内やプライス表示を、立体感を持たせて見栄え良くディスプレイすることができる。なお、スリット３の曲率についても、正面ブロック４と背面ブロック５の対向面を任意の曲率に成形することによって、簡単に変更することが可能である。
【００３７】
［第６実施形態］
図９に示すように、本実施形態の表示物保持具１（１Ｆ）は、スリット３をさらに別の形状にカスタマイズしたものである。
【００３８】
すなわち、本実施形態の表示物保持具１Ｆの保持具本体２は、正面ブロック４における背面ブロック５との対向面について、下側部分を垂直面、上側部分をテ―パ状の傾斜面に成形し、下側部分の垂直面を背面ブロック５に接合したものである。したがって、保持具本体２の側面から見ると、正面ブロック４と背面ブロック５の間に、図９（ｃ）のように差込口の手前側から奥側に向かって次第に隙間Ｇが狭くなるスリット３が形成されることになる。本実施形態において、スリット３は差込口の隙間Ｇが約７ｍｍ、長さが約３０ｍｍ、深さが約６．７ｍｍに設定されている。
【００３９】
また、保持具本体２の背面には、磁気吸着による固定手段が設けられている。本実施形態では、マグネット８として丸棒型（φ６×４ｍｍ）のネオジウム磁石を使用しており、このマグネット８を埋設するために、背面ブロック５の背面に同型の嵌合孔５ｂが形成されている。そして、外周面に接着剤を塗布したマグネット８が嵌合孔５ｂに嵌め込み固着され、マグネット８の底面が背面ブロック５から露出し、保持具本体２の背面と面一になっている。
【００４０】
本実施形態の表示物保持具１Ｆによれば、表示したいカード１０をスリット３に挿入する際に、差込口の隙間Ｇが比較的広く設定されているのでカード１０を差し込みやすくなるという利点がある。そして、カード１０をスリット３の奥まで挿入すると、隙間Ｇが次第に狭くなっているため、くさび効果によってカード１０の縁部が締め付けられ、カード１０を安定して保持することができる。
【００４１】
また、本実施形態の表示物保持具１Ｆにおいては、保持具本体２の背面にマグネット８が埋設されている。したがって、このマグネット８を金属製の陳列棚等に磁気吸着させることによって、図１０に示すようにカード１０を正面に向けた状態で設置することができる。また、図のように２個の表示物保持具１Ｆ，１Ｆでカード１０の上下端部を保持することによって、カード１０を安定した姿勢でディスプレイすることができる。
【００４２】
なお、本実施形態では、奥に向かって隙間Ｇが次第に狭くなるスリット３を設けるために正面ブロック４に傾斜面を形成したが、これに代えて、背面ブロック５に傾斜面を形成しても良い。また、正面ブロック４と背面ブロック５を直接接合したが、上述したスペーサ６や底面ブロック９を介して接合することもできる。さらに、マグネット８を保持具本体２の背面に埋設したが、保持具本体２の側面や底面に埋設しても良い。
【００４３】
［その他の実施形態］
図１１は、本考案の表示物保持具１について、保持具本体２の形状や色を変更したその他の実施形態を示したものである。
【００４４】
例えば、図１１（ａ），（ｂ）のように、正面ブロック４と背面ブロック５を異なる形状に成形し、正面ブロック４を無色透明なアクリル樹脂で、背面ブロック５を有色不透明（同図（ａ）は黒色ツヤ消し、（ｂ）は乳白色）のアクリル樹脂で構成することができる。このような構造によると、カード１０をスリット３に差し込んだとき、カード１０より手前側が無色透明で後ろ側が有色になるので、良好なコントラストを持たせることができる。
【００４５】
また、図１１（ｃ），（ｄ）のように、正面ブロック４と背面ブロック５を同じ形状に成形し、正面ブロック４と背面ブロック５を共に有色不透明（同図（ｃ）は黒色ツヤ消し、（ｄ）は乳白色）のアクリル樹脂で構成することもできる。また、図１１（ｅ）のように、正面ブロック４と背面ブロック５を無色透明のアクリル樹脂で構成し、底面ブロック９のみを有色不透明（例えば黒色ツヤ消し）のアクリル樹脂で構成しても良い。このような構造によると、マグネット８を埋設したブロックが不透明であるので、マグネット８を外部から見えないように隠すことができ、外観見栄えを向上させることができる。
【００４６】
以上様々なバリエーションを挙げて説明したとおり、本考案では、保持具本体２を成形する際に、正面ブロック４と背面ブロック５を接合することによって両ブロック４，５間にスリット３を形成するようにした。このため、保持具本体２を成形するための特殊形状の高価な金型が不要になり、極めて簡単かつ低コストで表示物保持具１を製造することができる。また、スリット３を形成するのに精度良く溝を切削加工する必要もなく、スリット３のサイズ（隙間Ｇ、深さ、長さ）を正確に設定することができ、しかもそのサイズ変更も簡単に行うことができる。なお、上述した実施形態で採用したサイズはあくまで一例であり、保持する表示物の材質や大きさに応じて適宜変更することが可能である。
【符号の説明】
【００４７】
１…表示物保持具
２…保持具本体
３…スリット
４…正面ブロック
５…背面ブロック
６…スペーサ
７…両面接着テープ
８…マグネット
９…底面ブロック
１０…カード
【図１】
0003170956.tif 000003
【図２】
0003170956.tif 000004
【図３】
0003170956.tif 000005
【図４】
0003170956.tif 000006
【図５】
0003170956.tif 000007
【図６】
0003170956.tif 000008
【図７】
0003170956.tif 000009
【図８】
0003170956.tif 000010
【図９】
0003170956.tif 000011
【図１０】
0003170956.tif 000012
【図１１】
0003170956.tif 000013